(57)【要約】【課題】  主に、流動性および絶縁性に優れた熱交換媒体を用いつつ、使用済みの蓄電素子を容易に放電させることができる蓄電装置を提供する。【解決手段】  蓄電素子（１１）と、脂肪酸およびアルコールのエステル化合物からなり、蓄電素子との間で熱交換を行う液状の熱交換媒体（４０）と、蓄電素子および熱交換媒体を収容するケース（２０）と、ケース内の熱交換媒体に対して、熱交換媒体の加水分解に用いられる液体を供給するための供給構造（２２ｂ，８１）と、を有する。そして、熱交換媒体を加水分解させることにより、この加水分解液を介して蓄電素子を放電させることができる。【選択図】  図５
2010244979.tif 000002
【特許請求の範囲】
【請求項１】
蓄電素子と、
脂肪酸およびアルコールのエステル化合物からなり、前記蓄電素子との間で熱交換を行う液状の熱交換媒体と、
前記蓄電素子および前記熱交換媒体を収容するケースと、
前記ケース内の前記熱交換媒体に対して、前記熱交換媒体の加水分解に用いられる液体を供給するための供給構造と、を有することを特徴とする蓄電装置。
【請求項２】
前記液体は、前記熱交換媒体を加水分解させることにより、この加水分解液を介して前記蓄電素子を放電させることを特徴とする請求項１に記載の蓄電装置。
【請求項３】
前記供給構造は、前記ケースに形成され、前記ケース内に前記液体を注入させるための注入孔を有することを特徴とする請求項１又は２に記載の蓄電装置。
【請求項４】
前記供給構造は、前記液体を収容するタンクを有しており、
前記タンクは、前記熱交換媒体および前記液体を分離させた状態から、前記熱交換媒体および前記液体の接触を許容する状態に動作可能であることを特徴とする請求項１又は２に記載の蓄電装置。
【請求項５】
前記熱交換媒体の液面が前記ケースの内壁面から離れることにより、前記液体の収容スペースが形成されていることを特徴とする請求項１から４のいずれか１つに記載の蓄電装置。
【請求項６】
前記熱交換媒体を加水分解させる際に、前記熱交換媒体を流動させる力を発生する動力発生機構を有することを特徴とする請求項１から５のいずれか１つに記載の蓄電装置。
【請求項７】
前記動力発生機構は、前記ケース内に配置されたファンを有することを特徴とする請求項６に記載の蓄電装置。
【請求項８】
前記動力発生機構は、前記ケースを揺らすことにより、前記熱交換媒体を前記ケース内で流動させることを特徴とする請求項６に記載の蓄電装置。
【請求項９】
前記エステル化合物が、カプリル酸２−エチルヘキシルであることを特徴とする請求項１から８のいずれか１つに記載の蓄電装置。
【請求項１０】
使用済みの蓄電装置の放電方法であって、
前記蓄電装置は、蓄電素子と、脂肪酸およびアルコールのエステル化合物からなり、前記蓄電素子との間で熱交換を行う液状の熱交換媒体と、前記蓄電素子および前記熱交換媒体を収容するケースと、を有しており、
前記熱交換媒体を加水分解させることにより、この加水分解液を介して前記蓄電素子を放電させることを特徴とする蓄電装置の放電方法。
【請求項１１】
前記熱交換媒体を加水分解させる際に、前記熱交換媒体を前記ケース内で流動させることを特徴とする請求項１０に記載の蓄電装置の放電方法。
【請求項１２】
前記エステル化合物が、カプリル酸２−エチルヘキシルであることを特徴とする請求項１０又は１１に記載の蓄電装置の放電方法。
【発明の詳細な説明】
【技術分野】
【０００１】
本発明は、蓄電素子との間で熱交換を行うための液状の熱交換媒体をケース内に収容した蓄電装置に関するものである。
【背景技術】
【０００２】
二次電池は、充放電によって発熱することがあり、温度上昇によって二次電池の特性が劣化してしまうことがある。そこで、二次電池の温度上昇を抑制するために、二次電池に冷媒を接触させる技術が提案されている（例えば、特許文献１）。
【０００３】
特許文献１に記載の組電池では、組電池を収容するケースに注入口および排出口を設けておき、注入口を介してケース内に冷媒を供給するとともに、排出口を介してケース外に冷媒を排出させている。そして、冷媒として、絶縁油や流動パラフィンを用いている。
【先行技術文献】
【特許文献】
【０００４】
【特許文献１】特開２００１−０６０４６６号公報（段落００２０−００２２）
【発明の概要】
【発明が解決しようとする課題】
【０００５】
二次電池に冷媒を接触させる構成において、冷媒に要求される性能としては、熱伝導性を有すること、電気的な絶縁性を有すること、二次電池を劣化させないこと等が挙げられる。ここで、特許文献１に記載の冷媒では、上述した性能に関して不十分となることがある。
【０００６】
一方、使用済みの組電池を解体する場合には、安全性等の観点において、単電池を完全に放電させておく必要がある。
【０００７】
そこで、本発明の目的は、主に、流動性および絶縁性に優れた熱交換媒体を用いつつ、使用済みの蓄電素子を容易に放電させることができる蓄電装置を提供することにある。
【課題を解決するための手段】
【０００８】
本願第１の発明である蓄電装置は、蓄電素子と、脂肪酸およびアルコールのエステル化合物からなり、蓄電素子との間で熱交換を行う液状の熱交換媒体と、蓄電素子および熱交換媒体を収容するケースと、ケース内の熱交換媒体に対して、熱交換媒体の加水分解に用いられる液体を供給するための供給構造と、を有している。
【０００９】
ここで、熱交換媒体を加水分解させることにより、この加水分解液を介して蓄電素子を放電させることができる。供給構造としては、ケースに形成され、ケース内に液体を注入するための注入孔を用いることができる。また、供給構造として、液体を収容するタンクを用い、このタンクを、熱交換媒体および液体を分離させた状態から、熱交換媒体および液体の接触を許容する状態に変化させることができる。
【００１０】
熱交換媒体の液面をケースの内壁面から離すことにより、ケース内に液体の収容スペースを形成することができる。これにより、ケース内に液体を供給しても、ケースから液体や熱交換媒体が溢れてしまうのを防止することができる。
【００１１】
熱交換媒体を加水分解させる際に、熱交換媒体に対して流動力を与えることができる。これにより、熱交換媒体および液体が混合しやすくなり、熱交換媒体を容易に加水分解させることができる。ここで、ケース内にファンを配置しておき、ファンを回転させることにより、熱交換媒体をケース内で流動させることができる。また、ケース自体を揺らすことにより、熱交換媒体をケース内で流動させることができる。
【００１２】
熱交換媒体を構成するエステル化合物としては、カプリル酸２−エチルヘキシルを用いることができる。これにより、熱交換媒体の絶縁性および流動性を向上させることができる。
【００１３】
本願第２の発明は、使用済みの蓄電装置の放電方法であって、蓄電装置は、蓄電素子と、脂肪酸およびアルコールのエステル化合物からなり、蓄電素子との間で熱交換を行う液状の熱交換媒体と、蓄電素子および熱交換媒体を収容するケースと、を有している。ここで、熱交換媒体を加水分解させることにより、この加水分解液を介して蓄電素子を放電させることを特徴とする。
【００１４】
ここで、熱交換媒体を加水分解させる際に、熱交換媒体をケース内で流動させれば、熱交換媒体および加水分解用の液体を容易に混合させることができ、熱交換媒体の加水分解を容易に行うことができる。
【発明の効果】
【００１５】
本願発明によれば、熱交換媒体として、脂肪酸およびアルコールからなるエステル化合物を用いることにより、熱交換媒体の絶縁性および流動性を向上させることができる。ここで、熱交換媒体の絶縁性を向上させることにより、蓄電装置を取り扱う際の安全性を向上させることができる。また、熱交換媒体の流動性を向上させることにより、熱交換媒体を用いた蓄電素子の温度調節を効率良く行うことができる。
【００１６】
しかも、本願発明では、エステル化合物を加水分解させ、この加水分解液を介して蓄電素子を放電させることにより、使用後の蓄電装置において、蓄電素子を容易に放電させることができる。そして、蓄電素子を完全に放電させた状態で、蓄電装置を分解することができる。
【図面の簡単な説明】
【００１７】
【図１】本発明の実施例１である電池パックの構成を示す分解斜視図である。
【図２】実施例１の電池パックにおける一部の内部構成を示す図である。
【図３】実施例１の電池パックにおいて、熱交換媒体の主な流れを示す図である。
【図４】実施例１の電池パックにおいて、熱交換媒体の流動方向を示す図である。
【図５】実施例１において、電池モジュールを放電させる方法を説明する図である。
【図６】エステル化合物の加水分解反応を示す図である。
【図７】実施例１において、電池モジュールを放電させる他の方法を説明する図である。
【図８】実施例１の変形例において、電池モジュールを放電させるための構成を示す概略図である。
【発明を実施するための形態】
【００１８】
以下、本発明の実施例について説明する。
【実施例１】
【００１９】
本発明の実施例１である電池パック（蓄電装置）の構成について、図１を用いて説明する。ここで、図１は、本実施例の電池パックの構成を示す分解斜視図である。
【００２０】
本実施例の電池パック１は、車両に搭載されている。この車両としては、ハイブリッド自動車や電気自動車がある。ハイブリッド自動車とは、電池パック１の他に、車両の走行に用いられるエネルギを出力する、内燃機関や燃料電池といった他の動力源を備えた車である。また、電気自動車は、電池パック１の出力だけを用いて走行する車である。本実施例の電池パック１は、放電によって車両の走行に用いられるエネルギを出力したり、車両の制動時に発生する運動エネルギを回生電力として充電したりする。なお、車両の外部から電力を供給することにより、電池パック１を充電することもできる。
【００２１】
電池パック１は、電池モジュール１０と、パックケース２０と、撹拌ユニット３０とを有している。パックケース２０は、電池モジュール１０および撹拌ユニット３０を収容するための空間を形成する収容部材２１と、収容部材２１の開口部２１ａを塞ぐ蓋部材２２とを有している。蓋部材２２は、収容部材２１にネジ等の締結部材によって固定されたり、溶接によって固定されたりする。これにより、パックケース２０の内部は、密閉状態となる。
【００２２】
収容部材２１および蓋部材２２は、熱伝導性や耐食性等に優れた材料、例えば、後述する熱交換媒体４０の熱伝導率と同等又はこれよりも高い熱伝導率を有する材料で形成することができる。具体的には、収容部材２１や蓋部材２２を、アルミニウムや鉄等といった金属で形成することができる。なお、本実施例では、収容部材２１や蓋部材２２の外壁面を平坦な面で構成しているが、これに限るものではない。具体的には、収容部材２１および蓋部材２２のうち少なくとも一方の外壁面に、複数の放熱フィンを設けることができる。これにより、放熱フィンを介して、電池パック１の放熱性を向上させることができる。
【００２３】
パックケース２０の内部には、電池モジュール１０および撹拌ユニット３０の他に、電池モジュール１０との間で熱交換を行うための液状の熱交換媒体４０が収容されている。熱交換媒体４０の具体的な成分については、後述する。
【００２４】
熱交換媒体４０は、後述するように、電池モジュール１０（単電池１１）の温度を調節するために用いられる。ここで、パックケース２０の内部に収容される熱交換媒体４０の量は、適宜設定することができる。本実施例では、熱交換媒体４０の液面を蓋部材２２から離している。なお、熱交換媒体４０の液面を蓋部材２２に接触させてもよい。ここで、電池モジュール１０の全面に熱交換媒体４０を接触させておくことが好ましい。
【００２５】
次に、電池モジュール１０の構成について説明する。
【００２６】
電池モジュール１０は、複数の単電池（二次電池）１１が電気的に直列に接続されたものである。複数の単電池１１は、パックケース２０の内部において、並列に配置されている。二次電池としては、ニッケル水素電池やリチウムイオン電池を用いることができる。また、二次電池の代わりに、電気二重層キャパシタを用いることもできる。さらに、本実施例では、円筒型の単電池１１を用いているが、角型等の他の形状の単電池を用いることもできる。
【００２７】
各単電池１１は、発電要素（不図示）と、発電要素を密閉状態で収容する電池ケースとを有している。発電要素は、充放電を行うことができる要素であり、例えば、電極素子（正極素子および負極素子）およびセパレータで構成することができる。正極素子は、集電板の表面に正極活物質の層を形成したものであり、負極素子は、集電板の表面に負極活物質の層を形成したものである。
【００２８】
各単電池１１の両端には、正極端子１１ａおよび負極端子１１ｂがそれぞれ設けられている。正極端子１１ａは、発電要素の正極素子と電気的および機械的に接続されており、負極端子１１ｂは、発電要素の負極素子と電気的および機械的に接続されている。各単電池１１の正極端子１１ａは、隣り合って配置された他の単電池１１の負極端子１１ｂとバスバー１３を介して電気的に接続されている。これにより、複数の単電池１１は、電気的に直列に接続されることになる。
【００２９】
各単電池１１は、両端側において、一対の板状の支持部材１２によって支持されている。これらの支持部材１２は、ネジ等の締結部材（不図示）によって、パックケース２０（収容部材２１）に固定されている。また、各支持部材１２の端面（外縁部）は、収容部材２１の底面および側面に接触するようになっている。
【００３０】
なお、本実施例では、２つの支持部材１２を用いているが、これらの支持部材１２を一体として構成することもできる。また、角型の単電池１１を用いた場合には、スペーサを挟んだ状態で複数の単電池１１を一方向に並べておき、これらの単電池１１を配列方向の両端からエンドプレートによって挟むことができる。
【００３１】
複数の単電池１１のうち特定（２つ）の単電池１１には、正極用および負極用のケーブル（不図示）が接続されており、これらのケーブルは、パックケース２０の外部に配置された機器に接続されている。この機器としては、例えば、電池モジュール１０の電圧を昇圧するためのＤＣ／ＤＣコンバータや、直流電流および交流電流の変換を行うインバータがある。
【００３２】
電池モジュール１０の角部には、撹拌ユニット３０が配置されている。撹拌ユニット３０の両端は、一対の支持部材１２と同一面内に位置するように配置されている。図２を用いて、撹拌ユニット３０の具体的な構成について説明する。ここで、図２は、電池パック１の内部における一部の構成を示す概略図である。
【００３３】
撹拌ユニット３０は、ファン（クロスフローファン）３１と、ファン３１の回転軸３１ａを回転可能に支持する一対の軸受け３２と、軸受け３２を支持する支持板３３とを有している。ファン３１は、単電池１１と略平行となるように配置されている。また、ファン３１は、回転軸３１ａの外周面において、複数の羽根３１ｂを有している。複数の羽根３１ｂは、回転軸３１ａの周方向において等間隔に配置されており、各羽根３１ｂは、曲面を持った形状に形成されている。ファン３１の回転軸方向における各羽根３１ｂの長さは、一対の支持部材１２の間隔と略等しくなっている。
【００３４】
回転軸３１ａにはモータ（不図示）が接続されており、ファン３１は、モータからの駆動力を受けることによって回転する。支持板３３の一部３３ａは、ファン３１の外周に沿った形状に形成されており、ファン３１の回転に応じて熱交換媒体４０をスムーズに移動させるようにしている。
【００３５】
ファン３１と電池モジュール１０（単電池１１）との間には、互いに接続された第１の仕切り部材３４ａおよび第２の仕切り部材３４ｂが配置されている。第１の仕切り部材３４ａは、図２に示すように、電池モジュール１０のうち最も下方に位置する単電池１１とパックケース２０（収容部材２１）の底面との間に配置されている。また、第２の仕切り部材３４ｂは、電池モジュール１０に沿って重力方向（図２の上下方向）に延びており、第２の仕切り部材３４ｂの先端が電池モジュール１０の上部に位置している。第１および第２の仕切り部材３４ａ，３４ｂの幅は、一対の支持部材１２の間隔と等しくなっている。
【００３６】
次に、上述した電池パック１において、ファン３１の駆動に伴う熱交換媒体４０の流れについて、図３および図４を用いながら説明する。
【００３７】
モータの駆動力を受けてファン３１が回転すると、ファン３１から熱交換媒体４０が送り出される。ファン３１から送り出された熱交換媒体４０は、第１の仕切り部材３４ａと収容部材２１の底面との間を通過して、電池モジュール１０の側に移動する。ここで、ファン３１における複数の羽根３１ｂは、回転軸３１ａの長手方向に延びているため、ファン３１から送り出される熱交換媒体４０は、羽根３１ｂの長さを有する層流を形成する。
【００３８】
ファン３１から送り出された熱交換媒体４０は、図３の矢印で示すように、電池モジュール１０の周囲を辿るように進んで、ファン３１に戻るようになっている。ここで、図３の矢印で示す流れは、熱交換媒体４０の主な流れを示すものであり、この流れとは異なる流れも存在する。なお、図３では、第１の仕切り部材３４ａを省略している。
【００３９】
本実施例において、電池モジュール１０（最も外側に位置する単電池１１）とパックケース２０の内壁面との間の距離（最短距離）は、隣り合う単電池１１の間における距離（最短距離）よりも長くなっている。このように設定することで、ファン３１から送り出される熱交換媒体４０を、電池モジュール１０の周囲に沿って移動させることができる。そして、電池モジュール１０の周囲において、熱交換媒体４０の主な流れを発生させることにより、隣り合う単電池１１の間にも熱交換媒体４０の二次的な流れを発生させることができる。具体的には、図４に示すように、電池モジュール１０の下方から上方に向かって、隣り合う単電池１１の間を通過する熱交換媒体４０の流れを発生させることができる。
【００４０】
単電池１１は充放電によって発熱することがあるが、単電池１１に熱交換媒体４０を接触させることにより、単電池１１および熱交換媒体４０の間で熱交換が行われ、単電池１１の熱が熱交換媒体４０に伝達される。熱を持った熱交換媒体４０は、上述したようにパックケース２０の内部で流動し、パックケース２０の内壁面に接触することにより、パックケース２０に熱を伝達することができる。そして、パックケース２０に伝達された熱は、大気中に放出される。これにより、電池パック１（単電池１１）の放熱（冷却）を行うことができる。
【００４１】
一方、熱交換媒体４０を温めるようにすれば、温められた熱交換媒体４０が単電池１１と熱交換を行うことにより、単電池１１に熱を伝達することができる。これにより、単電池１１を温めることができる。単電池１１を温めることは、環境温度によって単電池１１の温度が過度に低下してしまったときに有効である。ここで、熱交換媒体４０を温める場合としては、熱交換媒体４０を直接的又は間接的に温めることができる。熱交換媒体４０を直接的に温める手段としては、例えば、パックケース２０内にヒータを配置して、ヒータを熱交換媒体４０と接触させることができる。また、熱交換媒体４０を間接的に温める手段としては、例えば、パックケース２０をヒータによって温めるようにし、パックケース２０を介して熱交換媒体４０を温めることができる。
【００４２】
本実施例では、ファン３１から送り出された熱交換媒体４０が、層流の状態で単電池１１に接触するようになっている。ここで、熱交換媒体４０の層流の幅は、単電池１１の長手方向における長さと略等しくなっているため、熱交換媒体４０は、単電池１１における概ね全体の領域との間で熱交換を行うことができる。これにより、単電池１１における部分的な温度のバラツキを抑制することができる。また、図４に示すように、電池モジュール１０を構成するすべての単電池１１に対して熱交換媒体４０を接触させることにより、すべての単電池１１との間で熱交換を行うことができる。これにより、電池モジュール１０を構成する複数の単電池１１における温度のバラツキを抑制することができる。
【００４３】
なお、本実施例では、パックケース２０の内部に撹拌ユニット３０を配置しているが、撹拌ユニット３０を配置しなくてもよい。また、ファン３１として、クロスフローファンを用いているが、熱交換媒体４０を流動させる力を発生させるものであれば、いかなる構成であってもよい。さらに、本実施例では、撹拌ユニット３０をパックケース２０の底面に沿って配置しているが、これに限るものではない。すなわち、電池モジュール１０の周囲で熱交換媒体４０を流動させることができれば、撹拌ユニット３０の位置は適宜設定することができる。例えば、撹拌ユニット３０をパックケース２０の上面に沿って配置することもできる。
【００４４】
次に、熱交換媒体４０の具体的な成分について、説明する。
【００４５】
熱交換媒体４０としては、加水分解するものとして、高級脂肪酸およびアルコールからなるエステル化合物を用いている。高級脂肪酸は、脂肪族モノカルボン酸であり、好ましくは、炭素数が６〜２０個の高級脂肪酸を用いることができる。また、アルコールとしては、第一級アルコールや第２級アルコールを用いることができ、直鎖状または環状のアルキル基、アルケニル基、アリール基等の置換基を有していてもよい。ここで、脂肪族１価アルコールを好適に用いることができる。
【００４６】
炭素数が６〜２０個の高級脂肪酸と、炭素数が１〜１４個の脂肪族１価アルコールとからなるエステル化合物は、以下の一般式（１）で表される。
【００４７】
Ｒ１ＣＯＯＲ２      （１）
【００４８】
炭素数が６〜２０個（Ｒ１の炭素数が５〜１９個）の高級脂肪酸としては、例えば、カプロン酸、エナント酸、カプリル酸、カプリン酸、ラウリン酸、ミリスチン酸、パルミチン酸、パルミトレイン酸、ステアリン酸、オレイン酸、リノール酸、リノレン酸、エライジン酸、アラキン酸、アラキドン酸等が挙げられる。これらの高級脂肪酸は、１種類を単独で用いることもできるし、２種類以上を混合して用いることもできる。
【００４９】
ここで、エステル化合物の絶縁性を確保する点に関して、高級脂肪酸の炭素数は６個以上であることが好ましい。また、パックケース２０内における熱交換媒体４０の流動性を確保する点に関して、高級脂肪酸の炭素数は２０個以下であることが好ましい。ここで、エステル化合物の動粘度が低くなるほど、熱交換媒体４０の流動性を向上させることができる。上述した絶縁性および動粘度に関して、より好ましくは、炭素数が８〜１２個の高級脂肪酸を用いることができる。
【００５０】
なお、炭素数が６〜２０個の高級脂肪酸は、エネルギ・環境負荷を低減する点から、再生可能資源であるヤシ油、パーム核油、大豆油、パーム油などの植物油由来のものであることが好ましい。また、高級脂肪酸は、飽和脂肪酸でも不飽和脂肪酸でもよいが、化学的に安定であることから、飽和高級脂肪酸が好適である。
【００５１】
一方、炭素数（Ｒ２の炭素数）が１〜１４個の脂肪族１価アルコールとしては、例えば、メチルアルコール、エチルアルコール、プロピルアルコール、イソプロピルアルコール、ブチルアルコール、イソブチルアルコール、ヘキシルアルコール、オクチルアルコール、ラウリルアルコール、２−エチルブチルアルコール、２−エチルペンチルアルコール、２−エチルヘキシルアルコール、２−エチルオクチルアルコール、２−エチルラウリルアルコール、２−ブチルブチルアルコール、２−ブチルオクチルアルコール、２−ヘキシルヘキシルアルコール、２−ヘキシルオクチルアルコール、３−エチルヘキシルアルコール、３−エチルオクチルアルコール、３−エチルラウリルアルコール、イソデシルアルコール、イソトリデシルアルコール等が挙げられる。これらのアルコールは、１種類を単独で用いることもできるし、２種類以上を混合して用いることもできる。
【００５２】
ここで、パックケース２０内における熱交換媒体４０の流動性を確保する点に関して、脂肪族１価アルコールの炭素数は１４個以下であることが好ましい。また、エステル化合物の絶縁性を確保する点に関して、脂肪族１価アルコールの炭素数は６個以上であることが好ましい。上述した動粘度および絶縁性に関して、より好ましくは、炭素数が８〜１２個の脂肪族１価アルコールを用いることができる。
【００５３】
上述した高級脂肪酸および脂肪族１価アルコールのエステル化合物としては、例えば、カプロン酸メチル、カプロン酸エチル、カプロン酸プロピル、カプロン酸イソプロピル、カプロン酸ヘキシル、カプロン酸オクチル、カプロン酸ラウリル、カプリル酸メチル、カプリル酸エチル、カプリル酸プロピル、カプリル酸イソプロピル、カプリル酸ヘキシル、カプリル酸２−エチルヘキシル、カプリル酸オクチル、カプリル酸ラウリル、カプリル酸イソトリデシル、カプリン酸メチル、カプリン酸エチル、カプリン酸プロピル、カプリン酸イソプロピル、カプリン酸ヘキシル、カプリン酸オクチル、カプリン酸ラウリル、カプリン酸イソトリデシル、ラウリン酸２−エチルヘキシル、ラウリン酸イソトリデシル、ミリスチン酸２−エチルヘキシル、ミリスチン酸イソトリデシル、ステアリン酸２−エチルヘキシル、ステアリン酸イソトリデシル、オレイン酸２−エチルヘキシル、オレイン酸イソトリデシル、リノール酸２−エチルヘキシル、リノール酸イソトリデシル、リノレン酸イソトリデシル、リノレン酸２−エチルヘキシルが挙げられる。そして、これらのエステル化合物を、１種類だけ用いたり、２種類以上を混合して用いたりすることができる。
【００５４】
熱交換媒体４０として用いられるエステル化合物は、種々のエステル化法を用いて製造することができる。例えば、炭素数が６〜２０個の高級脂肪酸と炭素数が１〜１４個の脂肪族１価アルコールとを酸またはアルカリの存在下で反応させてエステル化させる方法がある。また、炭素数が６〜２０個の高級脂肪酸エステル化合物と炭素数が１〜１４個の脂肪族１価アルコールとを酸またはアルカリの存在下で反応させてエステル交換させることもできる。
【００５５】
一方、本実施例では、熱交換媒体４０のエステル化合物を生成するために、１価アルコールを用いているが、これに限るものではない。具体的には、２価または３価のアルコールを用いることができる。２価アルコールとしては、例えば、エチレングリコールがあり３価アルコールとしては、例えば、グリセリンがある。ここで、多価アルコールを用いる場合には、熱交換媒体４０の流動性を確保する点に関して、３価以下のアルコールを用いることが好ましい。
【００５６】
ここで、多価アルコールを用いる場合でも、炭素数が６〜２０個、好ましくは、炭素数が８〜１２個の高級脂肪酸を用いることが好ましい。また、１価から３価のアルコールの混合物を用いることもできる。
【００５７】
なお、上述した実施例では、モノカルボン酸を用いているが、ジカルボン酸またはトリカルボン酸を用いることもできる。ジカルボン酸としては、例えば、セバシン酸があり、トリカルボン酸としては、例えば、トリメリット酸がある。
【００５８】
上述したように、熱交換媒体４０としてエステル化合物を用いると、優れた絶縁機能を得ることができ、高電圧を発生させる電池パック１において好適に用いることができる。また、エステル化合物は、２００ｐｐｍ以下の水分が加わっても、エステル分子が水分子を内包するため、体積抵抗率が変化しにくい。
【００５９】
一方、エステル化合物を用いれば、熱交換媒体４０に硫黄成分を含ませないようにすることもできる。例えば、高級脂肪酸およびアルコールをエステル化させるときの触媒として、硫黄を含有していないものを用いることができる。これにより、硫黄を含む鉱物油を用いた場合に比べて、電池モジュール１０の一部が硫黄によって腐食してしまうのを防止することができる。例えば、バスバー１３や単電池１１の電極端子１１ａ，１１ｂを銅で形成した場合において、これらの部材が硫黄によって腐食してしまうのを防止することができる。
【００６０】
表１，２には、熱交換媒体４０を構成するエステル化合物として、カプリル酸２−エチルヘキシルを用いたときの物性値を示す。ここで、表１は、温度に応じたエステル化合物の動粘度を示している。また、表２は、エステル化合物の体積抵抗率を示しており、比較として、鉱物油およびシリコンオイルの体積抵抗率も示している。鉱物油やシリコンオイルは、熱交換媒体４０として用いることができる。鉱物油としては、ＡＴＦ（Automatic Transmission Fluid；トヨタオートフルードＷＳ）を用いている。
【００６１】
【表１】
2010244979.tif 000003
【００６２】
【表２】
2010244979.tif 000004
【００６３】
次に、上述した電池パック１を廃棄又はリサイクルするときの処理について、図５を用いて説明する。ここで、図５は、電池モジュール１０を放電させるときの処理方法を説明する図である。
【００６４】
使用済みの電池パック１を廃棄等する場合においては、電池パック１を分解することがある。特に、単電池１１の材料としてレアメタルを用いている場合には、電池パック１を分解することにより、レアメタルを再利用することができる。ここで、電池パック１の分解作業を安全に行うためには、電池モジュール１０（単電池１１）を完全に放電させておくことが好ましい。
【００６５】
本実施例では、熱交換媒体４０の体積抵抗率を低下させることにより、電池モジュール１０を構成する複数の単電池１１を短絡させて、電池モジュール１０を完全に放電させるようにしている。具体的には、パックケース２０内に水を供給することにより、熱交換媒体４０であるエステル化合物を加水分解させて、熱交換媒体４０の体積抵抗率を低下させるようにしている。
【００６６】
図５において、パックケース２０の蓋部材２２には、パックケース２０の外側に向かって突出した注入部２２ａが設けられている。注入部２２ａには注入孔２２ｂが形成されており、注入孔２２ｂは、後述するように、パックケース２０の内部に水を注入するために用いられる。ここで、電池パック１を使用するときには、注入部２２ａの注入孔２２ｂは、閉塞部材（不図示）によって塞がれており、パックケース２０の内部は密閉状態となっている。なお、電池パック１を製造する際に、注入孔２２ｂを用いて、パックケース２０内に熱交換媒体４０を充填することもできる。
【００６７】
一方、使用済みの電池パック１において、電池モジュール１０を放電させるときには、まず、注入孔２２ｂを塞いでいる閉塞部材を取り外してから、注入部２２ａにホース６０を接続する。ここで、ホース６０の一端は、注入部２２ａに接続され、ホース６０の他端は、水の供給源（例えば、水道の蛇口）に接続されている。
【００６８】
供給源から水の供給を開始させると、ホース６０内を移動した水が、注入孔２２ｂを通過して、パックケース２０内に移動する。本実施例では、図５に示すように、熱交換媒体４０の液面を蓋部材２２の内壁面から離しており、熱交換媒体４０および蓋部材２２の間には、空気層５０が形成されている。この空気層５０は、パックケース２０内に供給された水を収容するためのスペースとなる。ここで、パックケース２０内に水を供給することに応じて、空気層５０の空気をパックケース２０の外部に逃がすようにすることが好ましい。具体的には、注入孔２２ｂとは異なる孔部をパックケース２０（蓋部材２２）に形成しておくことができる。
【００６９】
なお、本実施例では、パックケース２０内に予め空気層５０を形成しているが、これに限るものではない。熱交換媒体４０の液面を蓋部材２２に接触させている場合には、パックケース２０から熱交換媒体４０の一部を排出させた後に、パックケース２０に水を供給することができる。
【００７０】
パックケース２０に水が供給されると、熱交換媒体４０としてのエステル化合物は、図６に示すように、脂肪酸およびアルコールに加水分解される。これにより、熱交換媒体４０の体積抵抗率は低下し始め、熱交換媒体４０の加水分解液を介して電池モジュール１０を短絡させることができる。ここで、エステル化合物の加水分解は数日かけてゆっくりと行うことができるため、熱交換媒体４０の体積抵抗率も徐々に低下させることができる。
【００７１】
このように、本実施例によれば、パックケース２０に水を供給するだけで、電池モジュール１０を放電させることができる。すなわち、電池モジュール１０をパックケース２０に収容したままの状態で、電池モジュール１０を放電させることができる。そして、電池モジュール１０を完全に放電させておけば、電池パック１の分解を容易に行うことができる。
【００７２】
ここで、酸性またはアルカリ性の条件において、熱交換媒体４０および水を反応させれば、エステル化合物の加水分解を促進させることができる。例えば、水とともに、水酸化ナトリウムや水酸化カリウムを加えることができる。
【００７３】
また、パックケース２０内には、ファン３１が配置されているため、ファン３１を駆動して、熱交換媒体４０をパックケース２０内で流動させることにより、エステル化合物の加水分解を促進させることができる。すなわち、パックケース２０に供給された水と、熱交換媒体４０としてのエステル化合物とを混合させて、これらの接触面積を増やすことにより、エステル化合物の加水分解を促進させることができる。ここで、ファン３１を駆動するタイミングは、適宜設定することができる。例えば、パックケース２０に水を供給する前からファン３１を駆動しておくこともできるし、パックケース２０に水を供給した後にファン３１を駆動することもできる。
【００７４】
なお、熱交換媒体４０をパックケース２０内で流動させる手段としては、上述したファン３１の駆動に限るものではない。すなわち、パックケース２０内で熱交換媒体４０を流動させることができればよく、熱交換媒体４０に対して、直接的または間接的に流動力を与えるものであればよい。また、熱交換媒体４０を直接的および間接的に流動させることもできる。
【００７５】
上述したファン３１の駆動は、熱交換媒体４０に対して直接的に流動力を与えるものである。一方、熱交換媒体４０に対して間接的に流動力を与える構成としては、パックケース２０を任意の方向に揺らすことができる。より具体的には、パックケース２０を振動台に設置しておき、振動台を二次元方向又は三次元方向で揺らすことができる。また、圧電素子といった振動を発生させる素子（振動発生素子）をパックケース２０に取り付けておいて、パックケース２０を振動させることができる。振動発生素子は、パックケース２０の内壁面および外壁面のうち、少なくとも一方の面に取り付けておけばよい。
【００７６】
ここで、電池モジュール１０を完全に放電させるための時間（予測時間）に応じて、加水分解を促進させる触媒の量や、熱交換媒体４０の流動時間等を適宜設定することができる。なお、安全性を考慮すると、電池モジュール１０を数日かけて放電させることが好ましい。そして、電池モジュール１０を完全に放電させた後に、電池パック１を分解すればよい。
【００７７】
なお、本実施例では、パックケース２０の注入部２２ａにホース６０を接続することにより、パックケース２０に水を供給しているが、これに限るものではない。例えば、図７に示すように、水を収容した容器７０を用いることにより、注入部２２ａに向かって水を注ぐことができる。ここで、注入部２２ａに水を注ぎやすいように、注入孔２２ｂをテーパ面で構成することができる。具体的には、テーパ面を、外側（注水側）に向かって開いた形状とすることができる。
【００７８】
図７に示す構成においても、熱交換媒体４０のエステル化合物を酸性又はアルカリ性の条件下で加水分解させたり、熱交換媒体４０を機械的に流動させたりすることができる。また、本実施例では、突状に形成された注入部２２ａを用いているが、注入部２２ａを省略することもできる。すなわち、水を注入するための開口部がパックケース２０に形成されていればよい。さらに、本実施例では、パックケース２０に注入孔２２ｂを予め設けているが、これに限るものではない。例えば、パックケース２０に水を供給するときに、パックケースに注入孔を形成することができる。
【００７９】
本実施例では、電池モジュール１０を放電させるときに、外部からパックケース２０内に水を供給するようにしているが、これに限るものではない。具体的には、加水分解用の水を電池パック１に予め設けておくことができる。
【００８０】
この構成について、図８を用いて説明する。ここで、図８は、本実施例の変形例である電池パックの内部構成を示す概略図である。なお、本実施例で説明した部材と同一の機能を有する部材については、同一符号を用い、詳細な説明は省略する。また、本変形例では、図５に示す構成とは異なり、蓋部材２２に注水孔２２ｂは形成されていない。
【００８１】
図８において、供給ユニット８１は、加水分解用の水を収容したタンク８２と、タンク８２から水を排出させるために操作される操作レバー８３とを有している。タンク８２には開口部８２ａが形成されており、開口部８２ａは、タンク８２内の水が外部に移動するときの通路となる。
【００８２】
操作レバー８３は、図８の矢印Ａで示す方向に移動可能な状態でパックケース２０に取り付けられている。操作レバー８３の一端には、タンク８２の開口部８２ａを開閉するための蓋部８３ａが設けられている。また、操作レバー８３の他端側は、パックケース２０を貫通して電池パック１の外部に突出している。
【００８３】
本変形例の電池パック１を使用する場合において、タンク８２の開口部８２ａは、操作レバー８３の先端に形成された蓋部８３ａによって塞がれている。このとき、熱交換媒体４０および加水分解用の水は、タンク８２によって仕切られており、互いに接触していない。
【００８４】
一方、電池パック１を廃棄等するために、電池モジュール１０を放電させるときには、操作レバー８３を矢印Ａで示す方向に移動させることにより、開口部８２ａを閉じ状態から開き状態に変化させる。これにより、タンク８２内の水は、タンク８２の外部に存在する熱交換媒体４０と混ざることになり、熱交換媒体４０を構成するエステル化合物を加水分解させることができる。そして、熱交換媒体４０の体積抵抗率を徐々に低下させることにより、加水分解液を介して電池モジュール１０を短絡させることができる。
【００８５】
ここで、熱交換媒体４０および加水分解用の水を混ぜる際に、パックケース２０内のファン３１を駆動することができる。これにより、熱交換媒体４０および加水分解用の水を容易に混合させて、熱交換媒体４０の加水分解を促進させることができる。また、本変形例では、操作レバー８３を操作するだけで、熱交換媒体４０を加水分解させることができる。
【００８６】
なお、本変形例では、パックケース２０内にタンク８２を配置しているが、これに限るものではない。具体的には、パックケース２０の外部にタンク８２を配置することもできる。この場合には、タンク８２をパックケース２０の外面に沿って配置し、タンク８２内の水をパックケース２０内に移動させるための通路を形成することができる。そして、この通路を閉じたり、開いたりする部材を配置しておけばよい。
【００８７】
また、本変形例では、図８に示すように、パックケース２０内に空気層５０を設けているが、空気層５０を設けなくてもよい。本変形例では、パックケース２０内にタンク８２が予め設けられており、加水分解用の水を収容するスペースが確保されているため、空気層５０を設けておく必要はない。
【００８８】
本発明は、パックケース２０内に水を供給して、熱交換媒体４０を構成するエステル化合物を加水分解させることができればよく、図５および図８に示す電池パック１の構成に限るものではない。ここで、加水分解用の水を電池パック１に予め設けておく場合には、エステル化合物および加水分解用の水を物理的に分離した状態と、エステル化合物および水を互いに接触させる状態との間で動作する機構を設けておけばよい。
【符号の説明】
【００８９】
１：電池パック（蓄電装置）                  １０：電池モジュール
１１：単電池（蓄電素子）                    １１ａ：正極端子
１１ｂ：負極端子                            １２：支持部材
１３：バスバー                              ２０：パックケース
２１：収容部材                              ２２：蓋部材
２２ａ：注入部                              ２２ｂ：注入孔
３０：撹拌ユニット                          ３１：ファン
４０：熱交換媒体（エステル化合物）          ５０：空気層
６０：ホース                                ７０：容器
８１：供給ユニット                          ８２：タンク
８３：操作レバー
【図１】
2010244979.tif 000005
【図２】
2010244979.tif 000006
【図３】
2010244979.tif 000007
【図４】
2010244979.tif 000008
【図５】
2010244979.tif 000009
【図６】
2010244979.tif 000010
【図７】
2010244979.tif 000011
【図８】
2010244979.tif 000012